(57)【要約】  【課題】装飾的な月めくりカレンダーのカレンダーハンガーとしての機能を維持したままで、各部品の形状、組み合わせ、取り付け位置等を変更すること、部品の追加で、デザインを一新して外観上の美的感の向上を図り、商品価値を高めることに取り組む。  【解決手段】壁掛け板部材と紙面規制板部材を一枚にした。壁掛け板部材と吊り下げ部材に対して折返し板部材を直角に組み合わせた。切り込み加工、固定ネジ取り付け位置等を折り返し板部材にまとめた。この折り返し板部材の加工した部位を全て隠す為に加工部位隠し板部材を取り付けた。このように各部品の形状を変更した、組み合わせを変更した、取り付け位置を変更したことで、デザインが一新されて外観上の美的感が向上し商品価値を高めることができた。  【選択図】  図２９
2009107238.tif 000002
【特許請求の範囲】
【請求項１】
「装飾的な月めくりカレンダー」を吊り下げるカレンダーハンガーである「カレンガー」（この名称は商標である）とする。両端にある「折り返し板部材１３」の内側に「壁掛け板部材１１」と「吊り下げ部材１２」を「固定木ネジ２０，４０」で固定してある（図１から図６）。「壁掛け板部材１１」と「吊り下げ部材１２に対して「折り返し板部材１３」を直角に固定してある（図１から図８）。「壁掛け板部材１１」と「吊り下げ部材１２」は、両方とも木口に「首下の長く、ピッチの広い木ネジ」で留めることで木口の弱い面を克服できた。「壁掛け板部材１１」の中央上部に「壁掛け穴１０」を開けてある（図１〜図４）。折り返し空間をつくる「折り返し板部材１３」に、「折り返し空間１５」を確保するように「吊り下げ部材１２」を固定してある（図１、２、図３、図７）。「支持板部材２１」を「吊り下げ部材１２」の下部両側に固定してある（図７，１１，１２）。「支持板部材２１」は長方形で、長さは「吊り下げ部材１２」と同じであるが、これは、「専用吊り具２７，２７ａ（付属部品、以下専用吊り具２７に含む）」又は「専用吊り具３３」を確実に支持する為である。「専用吊り具２７」に「紙製留め具カレンダー４１」を取り付けた状態で「折り返し板部材１３」の側面の「差込加工部位１９」のところから差し込み、「吊り下げ部材１２」の「セット加工部位２２」にセットするようにしてある（図２２、６、７）。「金属製留め具カレンダー４２」に「専用吊り金具３０」を取り付けて、更にそれを「専用吊り具２７」に取り付けた状態で「折り返し板部材１３」の側面の「差込加工部位１９」のところから差し込み、「吊り下げ部材１２」の「セット加工部位２２」へセットするようにしてある（図２４、６、７）。「専用吊り具３３」に「バインダー留め具カレンダー４３」を取り付けて、そのままの状態で「折り返し板部材１３」の側面の「差込加工部位１９」のところから差し込み、「吊り下げ部材１２」の「セット加工部位２２」にセットするようにしてある（図２８、６、７）。「折り返し板部材１３」の両外側に「加工部位隠し板部材１４」を取り付けできるように、「取付け木ネジ２５」が取り付けしてある（図１から図６）。「吊り下げ部材１２」の構造は、「専用吊り具２７」と「専用吊り具３３」の外形との関連から確定できた（図１１、２１、２７）。このような構造が特長であるところの「カレンダーハンガー１」である（図１）。材料は、圧縮した硬い紙材、木材、金属、プラスチック、塩化ビニール、セラミックス、その他の硬い材料等を使用する。その材料等の組み合わせを含むものとする。「請求項１」の製作方法を含む。
【請求項２】
「専用吊り具２７、２７ａ（付属部品の差込丸ピン、以下専用吊り具２７に含む）」と「専用吊り具３３」は、共に四角型をしており、両端の「折り返し板部材１３」までの長さに加工してある。吊り下げるカレンダーにより、この「専用吊り具２７」と「専用吊り具３３」を使い分ける。「専用吊り具２７」は、「紙製留め具カレンダー４１」に使用する。「専用吊り具２７」の「穴加工部位２９」に「紙製留め具カレンダー４１」を差し込み、「専用吊り具２７」の中央にある「中央丸穴２８」に「紙製留め具カレンダー４１」の中央の穴を合わせてから、「中央丸穴２８」に「差込丸ピン２７ａ」を差し込むことでカレンダーが吊り下げられるのである（図１１、１２）。この状態で「折り返し板部材１３」の側面の「差込加工部位１９」から差し込み、「吊り下げ部材１２」の「セット加工部位２２」にセットする（図１２、６）。「金属製留め具カレンダー４２」は「専用吊り金具３０」を取り付けて（図２３、２４）、そのままの状態で、更に「専用吊り具２７」に取り付けることで「金属製留め具カレンダー４２」が吊り下げられる（図２６）。この状態で、「折り返し板部材１３」の側面の「差込加工部位１９」から差し込み、「吊り下げ部材１２」の「セット加工部位２２」にセットする（図２６，６）。「バインダー留め具カレンダー４３」は、「専用吊り具３３」の「Ｖ字穴加工部位３４」に差し込み吊り下げた状態で、「折り返し板部材１３」の側面の「差込加工部位１９」から差し込み、「吊り下げ部材１２」の「セット加工部位２２」にセットする（図２７、２８）。この「専用吊り具２７」と「専用吊り具３３」がセットできることを特長とする「請求項１」に記載の「カレンダーハンガー１」である。材料は、圧縮した硬い紙材、木材、金属、プラスチック、塩化ビニール、セラミック、その他の硬い材料等を使用する。その材料等の組み合わせを含むものとする。「請求項２」の製作方法を含む。
【請求項３】
「専用吊り金具３０」は、「金属製留め具カレンダー４２」の「金属製留め具」の折り返したところに差し込み「金属製留め具カレンダー４２」を吊り下げる「金属製金具」である。「専用吊り金具３０」の中央上部に「加工丸穴３１」がある（図２３）。裏側の方に「折返加工部位３２」があり、これで「金属製留め具カレンダー４２」の「金属製留め具」の折り返したところに差し込み「金属製留め具カレンダー４２」を吊り下げる（図２４）。この状態のままで「専用吊り具２７」に取り付けることができるように仕組みがしてある。「専用吊り金具３０」の横の長さは、「金属製留め具カレンダー４２」の横幅と同寸法が最適であるが、横幅より短く製作したものである。「専用吊り金具３０」の取り付け位置決めは、「金属製留め具カレンダー４２」の「通常吊り下げる丸い穴」がある位置に「専用吊り金具３０」の「加工丸穴３１」を合わせて「折返加工部位３２」を差し込むことになる（図２４）。「専用吊り具２７」の位置決めは、「加工部位隠し板部材１４」を取り付けることで決まる（図５、８）。「専用吊り具２７」を付けた「専用吊り金具付金属製留め具カレンダー」が「カレンダーハンガー１」の中央位置にセットされて固定される構造であることを特長とする「請求項１」に記載の「カレンダーハンガー１」である。材料は、圧縮した硬い紙材、木材、金属、プラスチック、塩化ビニール、セラミック、その他の硬い材料等を使用する。その材料等の組み合わせを含むものとする。「請求項３」の製作方法を含む。
【請求項４】
「加工部位隠し板部材１４」は、「折り返し板部材１３」の両外側に取り付けてある。「加工部位隠し板部材１４」は、「折り返し板部材１３」に取り付けてある「取付け木ネジ２５」のところに「加工部位隠し板部材１４」の「スライド加工穴２６」を嵌め合わせてから、後ろから前に「スライド加工穴２６」に沿ってスライドさせて取り付けるようにしてある（図２０、６，５）。「折り返し板部材１３」の加工したところが丸見えの状態であるから、「加工部位隠し板部材１４」で加工部位の全てを隠すため、更に「専用吊り具２７」と「専用吊り具３３」の「位置決めストッパー」としての役目がある。「カレンダーハンガー１」は「壁掛け式」であるから「加工部位隠し板部材１４」は、後ろ側から前側にスライドして取り付けるようにしてあり、常に壁面と接していて「折り返し板部材１３」の「取付け木ネジ２５」から外れることがない仕組みにしてある。このような「加工部位隠し板部材１４」を取り付けることができる構造であることを特長とする「請求項１」に記載の「カレンダーハンガー１」である。材料は、圧縮した硬い紙材、木材、金属、プラスチック、塩化ビニール、セラミック、その他の硬い材料等を使用する。その材料等の組み合わせを含むものとする。「請求項４」の製作方法を含む。
【請求項５】
「カレンダーハンガー１０１」は、「吊り下げ部材１１２」に「凸加工部位１３５」を加工して、「折り返し板部材１１３」には「凸加工部位１３５」に相当する部分を加工した「切込加工部位１１９ａ」を加工して、「凸加工部位１３５」と「切込加工部位１１９ａ」を嵌め合わせてあることが特長である（図３３，３１）。「吊り下げ部材１１２」の径を細くすると「直線加工部位１２３」の両側の立ち下がりの幅に「固定木ネジ１４０」を取り付けることができなくなる。「吊り下げ部材１１２」は「折り返し板部材１１３」に「固定木ネジ１４０」の一本で固定してある。従って、「吊り下げ部材１１２」の「凸加工部位１３５」を「折り返し板部材１１３」の相当する部分を「切込加工部位１１９ａ」に嵌め合い固定することで補強した（図３２）。「吊り下げ部材１１２」の径を細くしたのは、材料のコストを安くする為である。この構造が「請求項１」の「カレンダーハンガー１」と違うところである。他の構造は「カレンダーハンガー１」と同様であるから説明を省略する。材料は、圧縮した硬い紙材、木材、金属、プラスチック、塩化ビニール、セラミック、その他の硬い材料等を使用する。その材料等の組み合わせを含むものとする。「請求項５」の製作方法を含む。
【請求項６】
「カレンダーハンガー２０１」は、「壁掛け式」から「吊り下げ式」にした構造であることを特長とする（図３５、３６）。「吊り下げ式」にすると、重心の関係で全体のバランスをとることが必要となり、「壁掛け板部材」を「吊り下げ式板部材２１１」と呼ぶ、これを分割して、全体のバランスがとれる中央よりに取り付けた。分割した「紙面規制板部材２１１ａ」を「折り返し板部材２１３」の「切込加工部位２３８」の加工したところに嵌め込むようにした（図３６）。固定は、「加工部位隠し板部材２１４」を取り付けることにより可能である。「折り返し板部材２１３」に「取付け木ネジ２２５」の取り付け位置の関係で「加工部位隠し板部材２１４」には、斜めに「スライド加工穴２２６」が加工してある（図４０）。「紙面規制板部材２１１ａ」が不要であれば取り外すこともできる。「吊り下げ式板部材２１１」の下側には、カレンダーの紙面を折り返しが容易にできるように「斜め加工部位２３９」を加工してある。「吊り下げ式板部材２１１」は交換する方式でユーザーの要望により、「楽しめる木目模様板」を用意して交換に対応することが可能である。この構造が「請求項５」の「カレンダーハンガー１０１」との違うところである。他の構造は「カレンガーハンガー１０１」と同様であるから説明を省略する。材料は、圧縮した硬い紙材、木材、金属、プラスチック、塩化ビニール、セラミック、その他の硬い材料とする。その材料等の組み合わせを含むものとする。「請求項６」の製作方法を含む。
【請求項７】
「カレンダーハンガー３０１」は、「吊り下げ式」の構造であり、「吊り下げ式板部材３１１」の「凸加工部位３３６」を「折り返し板部材３１３」の中央位置の「切込加工部位３３７」に嵌め込みして「固定ネジ３２０」で固定してある（図４１、４２）。この「カレンダーハンガー３０１」は、左右対称であり、正面と背面も同じ外観・構造である（図４２）。従って、カレンダーの正面向きを取り付けた方向が、「カレンダーハンガー３０１」の正面となる。「吊り下げ式板部材３１１」の木目模様を裏表で違うものにしておくと、正面の向きを変えることで２倍楽しめることができる。この「吊り下げ式板部材３１１」は「楽しめる木目模様板」を交換する方式でユーザーの要望に対応して交換する仕組みにした。カレンダーの硬い紙質にこのままでは使用できないが、「紙面の制限板部材」を取り付けることで可能となる。このような構造であることが特長の「カレンダーハンガー３０１」である。材料は、圧縮した硬い紙、木材、金属、プラスチック、塩化ビニール、セラミック、その他の硬い材料とする。その材料等の組み合わせを含むものとする。「請求項７」の製作方法を含む。
【発明の詳細な説明】
【技術分野】
【０００１】
本発明は、装飾的な月めくりカレンダー用の「カレンダーハンガー」に関するものである。
【背景技術】
【０００２】
現代のカレンダーの壁掛けの形式では、金属部分の中央にある丸い穴の部位を押し開いて丸い穴を、又は金属部分に挟み込んだ紐状の物を壁や板に取り付けてある釘状のものに掛けるようになっている。紙製留め具カレンダーは中央にある丸穴に金具等を通して壁に掛けている。そのカレンダーは、月々の紙面を切り取ることになる。そのために、「商品としての完成された装飾的な月めくりカレンダー」を掛ける「カレンダーハンガー」を出願中であるが、「カレンダーハンガー」としての商品価値である外観・構造等のデザインに問題がある。
【特許文献１】特開２００３−２１１８６９（第２頁、図３）
【特許文献２】特願２００５−３０７７９１
【特許文献３】特願ＰＣＴ／ＪＰ２００６／３１７０４７
【特許文献４】特願ＰＣＴ／ＪＰ２００６／３１７９５５
【特許文献５】特願２００７−１０３４０８
【特許文献６】特願２００７−５３６４５１
【発明の開示】
【発明が解決しようとする課題】
【０００３】
「カレンガーハンガー」の外観・構造の形状、組み合わせ、取り付け位置等を変更し、デザインで美的感を向上させて、商品価値を高めるために改良して解決することに取り組む。
【課題を解決するための手段】
【０００４】
上記の目的を達成する為に「壁掛け板部材１１」と「吊り下げ部材１２」と「折り返し板部材１３」そして「加工部位隠し板部材１４」から構成されている構造が図１に示す「カレンダーハンガー１」となる。この各部品の形状を変更した、各部品の組み合わせを変更した、各部品の取り付け位置を変更した、部品を追加したことで、課題を解決することにした。商品としてのカレンダーを吊り下げることから、この名称は「カレンガー」とする商標である。
【０００５】
図１から図８に示す組立図により「壁掛け板部材１１」と「吊り下げ部材１２」に対して「吊り下げ板部材１３」が直角に「固定木ネジ２０、４０」で取り付けてある。「壁掛け板部材１1」と「吊り下げ部材１２」には、木口面に「固定木ネジ２０，４０」がねじ込まれることになる。木材を使用する場合に通常は木口面に釘とか木ネジで取り付けることはしない。これは木材の材質的に弱いことの理由による。しかし、この木材の材質的に弱い面を克服するために「壁掛け板部材１１」と「吊り下げ部材１２」の「固定木ネジ２０，４０」が入り込むところの厚みを十分な厚みに確保すること、使用する「固定木ネジ２０，４０」の首下の長さを十分な長さにする、ピッチの広いものを確保することにした。木材の厚みを十分に確保できないところは、構造を変更することにより支持固定することで十分な強度を確保して問題を解決した。
【０００６】
このことは各部品に凸加工とか、凸加工したところを差し込むことができるように切り込み加工したことで対応してある。「壁掛け板部材１１」は、「カレンダーの「紙面規制板部材」の役目を兼ねるために一枚板にして背面側に取り付けてある。「折り返し板部材１３」には、「吊り下げ空間１６」と「差込加工部位１９」が切り込みしてあり、「専用吊り具２７、２７ａ（付属部品、以下専用吊り具２７に含む）」又は「専用吊り具３３」にカレンダーを取り付けた状態で、「折り返し板部材１３」の側面から差し込むようにしてある。「壁掛け板部材１１」と「吊り下げ部材１２」を「折り返し板部材１３」に「固定木ネジ２０、４０」で取り付けてある。これらの加工は「折り返し板部材１３」の側面に集中している。この側面を見ると美観的に問題となるところである。
【０００７】
この美観的に問題である「折り返し板部材１３」の加工した部位を外観から見えなくする為に「加工部位隠し板部材１４」を取り付けた。この「加工部位隠し板部材１４」は「吊り下げ空間１６」と「差込加工部位１９」のところとか、「固定ネジ２０，４０」の取り付けたところを隠すことができる。そして、「加工部位隠し板部材１４」の内側面に「スライド加工穴２６」を加工してあるから表面からは「取付けネジ２５」は見えないように製作してある。「壁掛け板部材１１」は「紙面規制板部材」を兼ねて「一枚板部材」にしたこと、「加工部位隠し板部材１４」を取り付けたこと、このことで外観のデザインを一新することができた。
【０００８】
「吊り下げ部材１２」の下部の内側で両側に、「専用吊り具２７」又は「専用吊り具３３」を支持する「支持板部材２１」を取り付けてある。この両側で支持するようにしたことで、「専用吊り具２７」と「専用吊り具３３」の形状を一体化することができた。従来の分離型では、カレンダーをセットする時、「吊り下げ部材１２」に差し込む時に、まとまりがなく面倒であったがこのようなことがなくなった。「吊り下げ部材１２」は、「専用吊り具２７」と「専用吊り具３３」の外観の形状が同じであるから、同じ構造で間に合うようになった。「吊り下げ部材１２」が一種類でよいことになったことは、かなり容易に製作できることとなった。このような構造は、カレンダーをセットする時、「吊り下げ部材１２」の側面から「差込加工部位１９」差し込む時にスムースにできることになった。
【０００９】
「専用吊り金具３０」は、カレンダーの横幅までの長さが最適であるが、そこまで長さの必要性はなく、カレンダーが揺れない程度までの長さであればよい。厚みも可能な限り薄くしたこと、短くしたことにより、カレンダーに取り付け易くなった。この「専用吊り金具３０」を使用することで、「専用吊り具２７」にセットすることができることになった。このことは、部品の点数を減らすことにつながった。図２６は「金属製留め具カレンダー４２」に「専用吊り金具３０」を取り付けて、それを「専用吊り下げ具２７」にセットした断面図を示してある。「専用吊り具３３」は、「バインダー留め具カレンダー４３」のバインダーの傾斜の角度に合わせて加工してある。従来は「専用吊り金具」を使用することにしていたので、この部品が不要になった。
【００１０】
「カレンダーハンガー１０１」は、「吊り下げ部材１１２」の外形を「カレンダーハンガー１」より小さくしたことにより、構造を変更したものである。「吊り下げ部材１１２」を「折り返し板部材１１3」の側面から「固定木ネジ１４０」の一本でしか固定できない。一本だけでは弱いし、回転することがある（図３２）。「吊り下げ部材１１２」に「凸加工部位１３５」を加工して、「折り返し板部材１１3」には、「差込加工部位１１９ａ」を加工して嵌め合うようにすることで強度を確保して固定した（図３１から図３４）。
【００１１】
「カレンダーハンガー２０１」は、「壁掛け式」から「吊り下げ式」にする為に、「カレンダーハンガー１０１」を更に構造変更したものである。「吊り下げ式」にするには、「壁掛け板部材２１１」を「吊り下げ式板部材２１１」と呼ぶことにする。「吊り下げ式板部材２１１」は、バランスをとるために、中央よりに取り付けることになる。そのために「吊り下げ式板部材２１１」は、「紙面規制板部材２１１ａ」と分割してある。「紙面規制板部材２１１ａ」は、「折り返し板部材２１３」の「差込加工部位２３８」のところに嵌め合うようにした。接着剤で留めてあるが、完全なストッパーとしては、「加工部位隠し板部材２１４」がその役目を果す。「吊り下げ式板部材２１１」の「凸加工部位２３６」と「折り返し板部材２１３」の「切込加工部位２３７」とを嵌め合わせして固定する。これは「吊り下げ式板部材２１１」が「折り返し板部材２１３」と「固定ネジ２４０」の一本で固定してあるので確実に固定するためである。「折り返し板部材２１３」に取り付けてある「取り付けネジ２２５」の取り付け位置の関係で「加工部位隠し板部財２１４」の「スライド穴加工２２６」は斜めに加工してある。図４０に示してある矢印の方向で脱着する。
【００１２】
「カレンガーハンガー３０１」は、「吊り下げ式」であり、裏表対称に製作してある（図４２）。カレンダーは表側に、裏側にも取り付けができる構造である。従って、カレンダーの表を取り付けた方向が正面となる。「吊り下げ式板部材３１１」の高さを広くして、楽しめる木目模様の裏表で異なるものを用いることで２倍楽しめる。特別に余分な「木目模様の板部材」を取り付けない構造で簡単になった（図４１，４２）。「吊り下げ式板部材３１１」の「凸加工部位３３６」と「吊り下げ部材３１２」の「凸加工部位３３５」は、「カレンガーハンガー１０１」又は「カレンダーハンガー２０１」と同じ構造である。図４５は「折り返し板部材３１３」の側面図であるが、外形が中央位置から左右対称の形状に製作してある。「加工部位隠し板部材３１４」も「折り返し板部材３１３」と同様に、図４６の「加工部位隠し板部材３１４」の中央位置から左右対称に製作してある。「加工部位隠し板部材３１４」の脱着は、「スライド穴加工３２６」の加工方向の矢印の斜め方向にスライドすることで可能である。
【００１３】
「カレンダーハンガー４０１」は、「カレンダーハンガー１」の「壁掛け板部材１１」を「壁掛け紐４１１」に取り替えてある（図４７）。「壁掛け紐４１１」の両端は、「折り返し板部材４１３」の上部に「紐丸穴加工４１３ａ」を加工したところに固定してある。「紙面規制板部材４１１ａ」は縦に長方形状で背面に取り付けてある。「バインダー留め具カレンダー４３」を「専用吊り具３３」に取り付けて吊り下げられた状態で「吊り下げ部材４１２」の「セット加工部位４２２」にセットしてある。カレンダーの紙面が数枚折り返してある図４７）。
【００１４】
「カレンダーハンガー５０１」は、「カレンダーハンガー１」の「壁掛け板部材１１」を「壁掛け鎖５１１」に取り替えてある（図４８）。「紙面規制板部材５１１ａ」は縦に長方形状で背面に取り付けてある。（図４８）。「壁掛け鎖５１１」の両端は、「折り返し板部材５１３」の上部に固定してある。「紙面規制板部材５１１ａ」は縦に長方形状で背面に取り付けてある。「紙製留め具カレンダー４１」を「専用吊り下げ具２７」に取り付けて吊り下げられた状態で、「吊り下げ部材５１２」の「セット加工部位５２２」にセットしてある。カレンダーの紙面が数枚折り返してある（図４８）。
【００１５】
「壁掛け板部材１１」は、「折り返し板部材１２」と「固定ネジ２０」で固定する時、数ミリメートル内側に取り付けた。この構造では、「壁掛け板部材１１」の部品の全面が壁面に接触することがなく、「折り返し板部材１３」と「加工部位隠し板部材１４」の背面だけが壁面に接触するだけで風通しが良い（図２）。各図の「壁掛け板部材１１」の中程下側で紙面規制板部材としての役目をする部分の「紙面規制板部材板」は、カレンダーの紙質が硬い時に取り付けて使用する部品であるが、カレンダーの紙面を丸く規制する為である。この部品を取り付けないとカレンダーの紙質が硬い時は、「カレンダーハンガー１」が、吊り下げた状態で傾斜することになるのである。従って、軟らかい紙質のカレンダーには取り付ける必要がない。
【００１６】
「折り返し板部材１３」を「壁掛け板部材１１」と「吊り下げ部材１２」に対して直角に取り付けたことは、カレンガーハンガーを「立体的な構造」にした。「折り返し板部材１３」は、「吊り下げ部材１２」の前面より「凸加工した部位」がある加工をしてある。これ等の構造により「立体的な構造」は更に強調された。
【００１７】
本発明は、これまでに記載した内容で、カレンダーハンガーの課題が解決することができた。各部品の材料の加工、組み合わせを変更したこと、部品の追加、切り込み加工等で強度の問題を解決することもできた。これで全ての問題を解決し目的を達成した。
【発明の効果】
【００１８】
上述したように本発明のカレンダーハンガーである「カレンガー」は、「壁掛け部材」と「折り返し部材」そして「吊り下げ部材」の各部品の形状を変更して、各部品の組み合わせを変更し、部品を追加、各部品の取り付け位置を変更した。各部品は単純な形状を使用することで、材料の形状は加工が容易となった。特に「折り返し板部材１１」の取り付け位置を変更したことが、デザインを一新することになった。「加工部位隠し部材１４」の部品の追加により外観上の美的感の向上に大きな役割を果した。「吊り下げ部材１２」は、共通に使用できる構造としたこと、「壁掛け板部材１１」を一枚で製作したことは加工を容易にする効果がある。
【発明を実施するための最良の形態】
【００１９】
以下、本発明の実施の形態を図１から図４８に基づいて説明する。また、本発明に使用する材料は、圧縮した硬い紙材、木材、金属、プラスチック類、塩化ビニール、セラミックス、その他の硬い材料等とする。そして、その材料等の組み合わせを含むものとする。
【００２０】
図１は正面図、図２は平面図、そして、図３は背面図で、図４はその平面図です。図１から図４は組み立て図で、「装飾的な月めくりカレンダー」を吊り下げるハンガーとして使用する「カレンダーハンガー１」である。「壁掛け板部材１１」と「吊り下げ部材１２」と「折り返し板部材１３」そして「加工部位隠し板部材１４」から構成されている構造である。
【００２１】
「壁掛け板部材１１」は、両端にある「折り返し板部材１３」の内側に取り付けてある。「壁掛け板部材１１」は、「折り返し板部材１３」とは「固定木ネジ２０」三本で固定してある（図６）。「吊り下げ板部材１２」は、「折り返し板部材１３」とは「固定木ネジ４０」三本で固定してある（図６）。「固定木ネジ」で取り付ける所は全てネジ穴を付けてネジが表面に出ないように加工してある（図１５、１６）。カレンダーの紙面を折り返す部位の「折り返し空間１５」が示してある（図２）。
【００２２】
図１から図５では、「加工部位隠し板部材１４」の取り付けた状態を確認することができる。この「加工部位隠し板部材１４」は、「折り返し板部材１３」に切込加工されたところや「固定木ネジ２０、４０」等の加工された全てを隠してしまい、外観上の美的感の向上を図っている。「壁掛け板部材１１」は、「紙面規制板部材」の役目も兼ねていて一枚の板状に製作してある（図３）。壁の金具等に引っ掛けるところは、「壁掛け板部材１１」の上部に「穴加工部位１０」を加工してあり直接に掛けることにした。このことは、背面がすっきりした構造になった。
【００２３】
各部品の端面は丸く加工して取り扱いする上で優しさ感を表現してある。「壁掛け板部材１１」と「折り返し板部材１２」の端面を少しずらして位置決めして「固定木ネジ２０」で固定することで、壁面に接触するところを最小限にするデザインにしてある。これは、カレンダーハンガーと壁面の間に空気を通すためで、壁面の変色を抑える為でもある（図２）。正面には、「吊り下げ部材１２」の端面から「折り返し板部材１３」を少しだけ凸加工してデザインしたことで、立体的な構造を作り出してある。
【００２４】
図６は、組み立て図から「加工部位隠し板部材１４」を取り外してある側面図です。「折り返し板部材１３」に加工した部位で、「壁掛け板部材１１」と「吊り下げ部材１２」を取り付ける為の「固定木ネジ２０、４０」、「吊り下げ空間１６」や「差込加工部位１９」を加工してある。左側にある三本の「固定木ネジ４０」で「壁掛け板部材１１」と固定し、右側にある三本の「固定木ネジ２０」で「吊り下げ部材１２」を固定してある。「壁掛け板部材１１」と「吊り下げ部材１２」が左右にずらして取り付けてあることが確認できる。「吊り下げ空間１６」と「差込加工部位１９」は、ここから「専用吊り具付カレンダー」を差し込むためである。
【００２５】
従来との特異なところが、「壁掛け板部材１１」と「吊り下げ部材１２」の木口に「固定木ネジ２０，４０」を用いたことである。木材の木口は、材質的に弱い為に避けて加工するのが一般的である。この材質的に弱い面を克服する為に「首下の長い、ピッチの広い木ネジ」を用いることで解決することができた。このことがデザインを一新するのに大きな役割を果たした。「加工部位隠し板部材１４」を取り付けることの発想につながった。「加工部位隠し板部材１４」を取り付ける「取付け木ネジ２５」二本が確認できる。これ等のことが立体的な構造を大きく向上することになった。
【００２６】
図７は、「加工部位隠し板部材１４」と「折り返し板部材１３」を取り外した側面図である。「壁掛け板部材１１」と「吊り下げ部材１２」の取り付け位置関係を確認できる。カレンダーを折り返すところの「折り返す空間１５」が確保されてある。カレンダーを折り返すのに障害となる部品は何もないのでスムースに折り返しすることができる構造である。「壁掛け板部材１１」が「折り返し板部材１３」の少し内側に取り付けてあることが確認できる。「吊り下げ部材１２」の正面側が「折り返し板部材１３」の正面側の端面より内側に取り付けてあることが確認できる。「専用吊り下げ具付カレンダー」は「加工部位２２」のところにセットされる。
【００２７】
図８は、「カレンダーハンガー１」の正面から見て左側の側面図である。「加工部位隠し板部材１４」を取り付けた状態が示してある。「折り返し板部材１３」に「加工した部位」や「固定木ネジ」等を取り付けた状態は「加工部位隠し板部材１４」で完全に隠されてある。このことは、カレンダーハンガーとしての外観上で美的感の向上に大きな役割を果した。また「加工部位隠し板部材１４」は「折り返し板部材１３」より小さめに製作してあること、共に斜めに加工してあること等がデザイン上で良い感じに仕上がっている。
【００２８】
図９と図１０は、「壁掛け板部材１１」の部品図である。図９は正面図であり、図１０は側面図である。「カレンダーハンガー１」では、「紙面規制板部材」を兼ねているので広い一枚板で製作してある。上部が山形にカットしてある。ここだけが山形にカットした部位である。中央の上部に「壁掛け加工穴１０」の縦長の穴加工がしてあるが、これはL型壁掛け金具に引っ掛ける為に加工した。丸穴にするとL型壁掛け金具に掛けた時に、丸穴とL型壁掛け金具の直径のアンバランスが気になるところとなり、外観上で美的感を損なうことになるからである。
【００２９】
図１１と図１２は、「吊り下げ部材１２」であり、図１１は側面の拡大図であるし、図１２は全体の斜視図である。外観は「直線加工部位２３」と「曲線加工部位２４」がある。内側に四角に加工した「セット加工部位２２」がある。この四角に加工したところに、「専用吊り具２７」又は「専用吊り具３３」を支持する為の板部材「支持板部材２１」が両側に取り付けてある。この両側に同じ形状ものを取り付けたことに意味がある。この構造にしたことで、「専用吊り具２７」と「専用吊り具３３」の形状を一体化して取り扱いが容易になったのである。
【００３０】
図１３と図１４は、「折り返し板部材１３」である。図１３が正面図、図１４が平面図である。図中のＬが左側用で、Ｒが右側用である。「加工部位隠し板部材１４」を取り付ける「取付けネジ２５」が取り付けてある。図１５と図１６は側面図であり、図１５が左側用で、図１６が右側用である。「壁掛け板部材１１」を固定する「固定木ネジ２０」用が「固定木ネジ用加工穴１７」であり、「吊り下げ部材１２」を固定する「固定木ネジ４０」用が「固定木ネジ用加工穴１８」である。「差込加工部位１９」と「吊り下げ空間１６」は、「専用吊り具付カレンダー」を差し込むところです。「取付け用木ネジ２５」は「加工部位隠し板部材１４」を背面側からスライドして取り付ける木ネジである。「折り返し板部材１３」に加工部位を集中して加工したことが特長である。
【００３１】
図１７と図１８は「加工部位隠し板部材１４」で、図１７は正面図、図１８は平面図である。図中のＬが左側用で、Ｒが右側用である。図１９と図２０は「加工部位隠し板部材１４」の内側の加工部位「スライド加工穴２６」を確認する為に記載した。「スライド加工穴２６」の「加工穴」の大きいところに「折り返し板部材１３」の「取付け用木ネジ２５」を嵌め込み、その後で背面から正面の方向へスライドすることで取り付くようにできている。この「加工部位隠し板部材１４」は組み立てた状態で、切り込み、固定ネジ等の加工部位を隠してしまうのがこの「カレンダーハンガー１」の特長でもある。正にカレンダーハンガーのデザインを一新する構造の部品である。美的感の向上に大きな役割を果した部品である。
【００３２】
図２１は、「専用吊り具２７」」の斜視図である。カレンダーの横幅以上に縦に穴加工した「穴加工部位２９」があり、その中央に「中央丸穴２８」がある。この部品には「差込丸ピン２７ａ」が付属しているので、「中央丸穴２８」のところに差し込むことでカレンダーを留める仕組みである。図２２は、「紙製留め具カレンダー４１」を「穴加工部位２９」に差し込み、「紙製留め具カレンダー４１」の中央にある丸穴と「専用吊り具２７」の「中央丸穴２８」の位置を合わせてから、「差込丸ピン２７ａ」を差し込むことで「紙製留め具カレンダー４１」が吊り下げられた状態図である。「紙製留め具カレンダー４１」の「カレンダー表面４１ａ」がカレンダーの正面である。
【００３３】
図２３は、「専用吊り金具３０」である。図中の３０Ａが正面図、３０Ｂが背面図、３０Ｃが側面図である。この「専用吊り金具３０」はカレンダーの横幅よりもかなり短く製作してある。カレンダーが揺れないところまでに短くした。これは、「専用吊り金具３０」の「折返加工部位３２」を「金属製留め具カレンダー４２」の上部の金具に差し込み易くした為である。「加工丸穴３１」は「専用吊り具２７」に取り付ける為の穴である。図２４は「金属製留め具カレンダー４２」に「専用吊り金具３０」を取り付けた図である。「専用吊り金具３０」の取り付け位置は、「金属製留め具カレンダー４２」の「吊り下げ用丸穴加工部位」の中央位置となる。
【００３４】
図２５は、「紙製留め具カレンダー４１」を「専用吊り具２７」に取り付けた状態の中央部分で断面した図である。「差込丸ピン２７ａ」を差し込み留めてあることが確認できる。図２６は、「金属製留め具カレンダー４２」に「専用吊り金具３０」を取り付けて、そのままの状態で、更に「専用吊り具２７」に取り付けてある図である。「差込丸ピン２７ａ」を差し込み留めてあることが確認できる。「金属製留め具カレンダー４２」が外れ落ちることのない構造に製作してある。「専用吊り具２７」は一体化したところが、取り扱い上で容易になった特長がある。
【００３５】
図２７は、「バインダー留め具カレンダー４３」に取り付けて用いる「専用吊り具３３」である。この内側の縦にＶ字型の穴加工「Ｖ字穴加工部位３４」がある。このＶ字の「Ｖ字穴加工部位３４」ところに「バインダー留め具カレンダー４３」差し込みすることで、吊り下げられて、位置決めされるのである。「Ｖ字穴加工部位３４」の縦穴加工の横幅は「バインダー留めカレンダー４３」の横幅よりわずかに広くして製作してある。図２８は「専用吊り具３３」に「バインダー留め具カレンダー４３」を差し込みした状態の中央で断面した図で示されてある。「専用吊り具３３」は一体化しところが、取り扱い上で容易になった特長がある。
【実施例】
【００３６】
図２９は正面図で実施例［カレンダーハンガー１］である。  吊り下げられているカレンダーは、「紙製留め具カレンダー４１」で、「カレンダー表面４１ａ」が示されてある。カレンダーの紙面の数枚が折り返された状態で「カレンダーの裏面４１ｂ」が示されている。「カレンダーハンガー１」は、各部品の外観上の形状を確認することはきるが、「壁掛け板部材１１」に「壁掛け加工穴１０」の加工した以外の切り込み加工、固定木ネジ等が見えないように加工して製作してあることが最大の特長である。部品の取り付け、組み合わせ等で立体的な構造にデザインできたことも、部屋の装飾的な意味合いの品物として完成された装飾品となった。
【００３７】
図３０は正面図で実施例[カレンダーハンガー１]である。吊り下げられているカレンダーは、「金属製留め具カレンダー４２」で、「カレンダーの表面が４２ａ」である。カレンダーの紙面の数枚が折り返された状態で「カレンダーの裏面４２ｂ」が示されてある。カレンダーの下方はカットした図面である。この実施例［カレンダーハンガー１］の特徴は、「金属製留め具カレンダー４２」の中央に「専用吊り金具３０」を取り付けて、更にそれを「専用吊り具２７」に取り付けた状態で、「カレンダーハンガー１」にセットしてあることである。「専用吊り金具３０」は「カレンダーの横幅よりもかなり短く、揺れないところまでの幅に製作してある。
【００３８】
図２９と図３０の正面図で実施例「カレンダーハンガー１」は、「吊り下げ部材１２」の「支持板部材２１」を内側の「セット加工部位２２」の下部に両側に取り付けたことから「専用吊り具２７」と「専用吊り具３３」の外観形状を同じ四角に製作することができたのである。「専用吊り具２７」には、「紙製留め具カレンダー４１」を取り付けられるように縦に「穴加工部位２９」が加工してある。「専用吊り部材３３」には、「バインダー留め具カレンダー４３」を取り付けられるように縦にＶ字の「Ｖ字穴加工部位３４」が加工してある。
【００３９】
「金属製留め具カレンダー４２」は、金属留め具のところの中央位置に「吊り下げ丸穴加工部位」がありこれで吊り下げられるようにできている。この部位を利用しないのは、一度「吊り下げ丸穴加工部位」を起こしてしまうと、完全に元に戻すことができない。この元に戻らないところが巻いて保管する時にカレンダーを傷つけることになるからである。「専用吊り金具３０」を別に製作してカレンダーを傷つけないという配慮である。
【００４０】
図３１は正面図、図３２は側面図で実施例の「カレンダーハンガー１０１」である。材料のコストを安くする為に改良したカレンダーハンガーである。「吊り下げ部材１１２」を「カレンダーハンガー１」より小さく製作してある。カレンダーハンガーの横幅は変更できないが、その他の部品は「吊り下げ部材１１２」の変更に合わせて製作することができる。「吊り下げ部材１１２」の形状を小さく製作すると「固定木ネジ１４０」を一本で固定することになる（図３２）。材料の強度的なことで「固定木ネジ１４０」二本を用いることができない（図３２）。
【００４１】
「吊り下げ部材１１２」と「折り返し板部材１１３」を一本の「固定木ネジ１４０」で固定するだけでは、強度不足である。そこで、「吊り下げ部材１１２」の両端に「凸加工部位１３５」を加工して、「折り返し板部材１１３」に「切込加工部位１１９ａ」を切り込み加工する。この「凸加工部位１３５」を「切込加工部位１１９ａ」に差し込み、その後に「固定木ネジ１４０」一本で固定する。図３１と図３２で確認できる。この嵌め合い加工により「吊り下げ部材１１２」は、強度不足を解消して確実に固定することができた。
【００４２】
図３３は、「吊り下げ部材１１２」の正面図である。両端に「凸加工部位１３５」が加工してあることを確認できる。図３４は、「折り返し板部材１１３」に「切込加工部位１１９ａ」が加工してあることを確認できる。この「凸加工部位１３５」と「切込加工部位１１９ａ」を嵌め合わせることで固定できる仕組みである。これ以外の部品の加工は「カレンダーハンガー１」と同じである。この「カレンダーハンガー１０１」の特長は、材料コストを安くする為に、より細い材料で加工方法を変更し、部品の強度不足を解消して、機能を低下させないで製作したことである。「カレンダーハンガー１０１」全体としては、より細く製作することができた。
【００４３】
図３５は正面図、図３６は側面図で実施例「カレンダーハンガー２０１」である。「壁掛け式」を「吊り下げ式」にする為に改良した「カレンダーハンガー２０１」であることを特長とする。これは、壁面に金具等を取り付けたくないユーザー向けに製作した。「壁掛け板部材２１１」を「吊り下げ式板部材２１１」と呼ぶことにする。「吊り下げ式板部材２１１」は分割して、バランスを取る為に中央よりに取り付けた。分割した為に「固定木ネジ２２０」の一本で固定することになり、強度不足であるので、「折り返し板部材２１３」の上部に「切込加工部位２３７」を加工して、「吊り下げ式板部材２１１」を嵌め込み「固定木ネジ２２０」で固定することにした。これで強度不足を解消して確実に固定することができた。「紙製留め具カレンダー４１」がセットしてある。
【００４４】
分割した「吊り下げ式板部材２１１」の下側部分は、「紙面規制板部材２１１ａ」として「吊り下げ式板部材２１１」の「切込加工部位２３８」の加工したところに嵌め込みして固定することにした。「紙面規制板部材２１１ａ」の板の厚みは、薄くしてある。「カレンダーハンガー２０１」を吊り下げる方法は、「吊り下げ式板部材２１１」の「吊り下げ加工丸穴２１０」に「紐や鎖等を通して吊り下げることになる。壁面に金具等を取り付けられない場合が想定されるので、その他の天井とか、鴨居等から吊るした紐や鎖等を使用することが考えられる。「吊り下げ板部材２１１」にカレンダーの紙面を折り返し易いように「斜め加工部位２３９」を斜めに加工してある。これ以外の部品の加工は、「カレンダーハンガー１０１」と同じである。
【００４５】
図３７は、「吊り下げ式板部材２１１」である。両端に「凸加工部位２３６」を加工したところが確認できる。下側に「斜め加工部位２３９」を加工したところが確認できる。図３８は、「吊り下げ部材２１２」である。両端に「凸加工部位２３５」を加工したところが確認できる。図３９」は、「折り返し板部材２１３」です。各加工部位の位置関係が確認できる。これまでと違うところは、「加工部位隠し板部材２１４」を取り付ける為の「取付け木ネジ２２５」を取り付けている位置が変更してあることである。図４０は、「加工部位隠し板部材２１４」である。「折り返し板部材２１３」の「取付け木ネジ２２５」の取り付け位置に合うように「加工部位隠し板部材２１４」の内側に「スライド加工穴２２６」が加工してある。「加工部位隠し板部材２１４」は、矢印の方向に脱着するように製作してある。
【００４６】
図４１は正面図、図４２は側面図で実施例「カレンダーハンガー３０１」である。「金属製留め具カレンダー４２」が取り付けられて、数枚が折り返しされてある。「完全吊り下げ式」である、完全の意味とはカレンダーを前面に、または背面のどちら側の一方にセットすることができることで、セットしたカレンダーの表面がカレンダーハンガーの正面になることである。「カレンダーハンガー３０１」は、各部品が側面の中央位置に対して左右を同じ形状に加工してあり、どちら側でも正面にすることができるように製作してある。「吊り下げ板部材３１１」はバランスをとる為に各部品の中央に取り付けてある。
【００４７】
図４３は「吊り下げ式板部材３１１」である。「凸加工部位３３６」と「斜め加工部位３３９」を確認できる。「カレンダーハンガー３０１」は、セットしたカレンダーの表面が正面になることから、「吊り下げ式板部材３１１」は裏表に異なる木目模様の「楽しめる木目模様」がある板部材を用いることで、「完全吊り下げ式」の意義あるものとして完成した。「吊り下げ式板部材３１１」は、「楽しめる木目模様板」を交換する方式でユーザーの要望に対応して交換できる仕組みとする。図４４は「吊り下げ部材３１２」で「凸加工部位３３５」を確認できる。「凸加工部位３３５」は、「折り返し板部材３１３」の切り込み「切込加工部位３１９ａ」と嵌め合うところである。
【００４８】
図４５は「折り返し板部材３１３」の側面図である。「加工部位隠し板部材３１４」を取り付ける「取付け木ネジ３２５」以外は、「折り返し板部材３１３」の中央位置に対して左右を同じ形状に加工してあることを確認できる。図４６は「加工部位隠し板部材３１４」である。内側に「スライド加工穴３２６」が斜めに加工してある。斜めに加工してあるのは縦に加工しておくよりは、上下振動に対して外れにくいからである。「加工部位隠し板部材３１４」は矢印の方向に脱着するように製作してある。「紙面規制板部材」を取り付ける加工はしていない。紙質の硬いカレンダーは取り付けることができない。「紙面規制板部材」は要望に対して取り付けられるようにすることはできる。
【００４９】
図４７は正面図で実施例の「カレンダーハンガー４０１」である。「カレンダーハンガー１」の「壁掛け板部材１１」を「壁掛け紐４１１」に変更した。「折り返し板部材４１３」の上部に「加工丸穴４１３ａ」を加工してある。この「加工丸穴４１３ａ」に「壁掛け紐４１１」を通して、先端を丸めて固定する。「紙面規制板部材４１１ａ」が背面に取り付けてある。この取り付け方法は、「カレンダーハンガー２０１」と同じように、「折り返し板部材４１３」の後ろ側に、縦長の長方形に加工した部位「切込加工部位４３８」に当たるところに嵌め込み取り付けることになる。「バインダー留め具カレンダー４３」がセットされてある。
【００５０】
図４８は正面図で実施例の「カレンダーハンガー５０１」である。「カレンダーハンガー１」の「壁掛け板部材１１」を「壁掛け鎖５１１」に変更した。「折り返し板部材５１３」の上部に「丸穴付の釘」で固定してある。「折り返し板部材５１３」に「加工丸穴」を加工して、そこに「リング」を付けて、鎖を接続することができるように製作することもできる。「紙面規制板部材５１１ａ」が背面に取り付けてある。この取り付け方法は、「カレンダーハンガー２０１」と同じように、「折り返し板部材５１３」の後ろ側に、縦長の長方形に加工した部位「切込加工部位５３８」に当たるところに嵌め込み取り付けることになる。「紙製留め具カレンダー４１」がセットされてある。
【産業上の利用可能性】
【００５１】
装飾的なカレンダーハンガーとしてのデザインを一新すること、商品の価値を高めて提供することが可能となった。装飾的なカレンダーは映画俳優、女優、歌手、アイドル、ユニークなキャラクター、有名な絵画と彫刻物、建築物等の写真とか絵等が入っているもの、更に最近は世界遺産に登録された諸々の写真とか絵入り等で、そのフアンの人々とそれを趣味にしている人々は数多く存在するので、本発明の「カレンガー」を購入してくれることは間違いないと考えるので、産業上の利用可能性はあると判断する。
【図面の簡単な説明】
【００５２】
【図１】カレンダーハンガー１の正面図
【図２】カレンダーハンガー１の平面図
【図３】カレンダーハンガー１の背面図
【図４】カレンダーハンガー１の底面図
【図５】カレンダーハンガー１の右側側面図
【図６】図５から加工部位隠し板部材１４を取り外した側面図。
【図７】図６から更に折り返し板部材を取り外した側面図
【図８】カレンダーハンガー１の左側側面図
【図９】壁掛け板部材１１の正面図
【図１０】壁掛け板部材１１の側面図
【図１１】吊り下げ部材１２の拡大側面図
【図１２】吊り下げ部材１２の斜視図
【図１３】折り返し板部材１３の正面図
【図１４】折り返し板部材１３の平面図
【図１５】折り返し板部材１３の左側用側面図
【図１６】折り返し板部材１３の右側用側面図
【図１７】加工部位隠し板部材１４の正面図で、Ｌが左側用、Ｒが右側用
【図１８】加工部位隠し板部材１４の平面図で、Ｌが左側用、Ｒが右側用
【図１９】加工部位隠し板部材１４の側面図で、左側用の内側
【図２０】加工部位隠し板部材１４の側面図で、右側用の内側
【図２１】専用吊り具２７の斜視図（付属部品２７ａを含む、以下同じ）
【図２２】専用吊り具２７に紙製留め具カレンダーを取り付けた斜視図
【図２３】専用吊り金具３０で、３０Ａが正面図、３０Ｂが背面図、３０Ｃが側面図
【図２４】金属製留め具カレンダー４２に専用吊り金具３０を取り付けてある正面図
【図２５】専用吊り具２７に紙製留め具カレンダーを取り付けた状態の中央位置断面図
【図２６】専用吊り具２７に専用吊り金具付カレンダー４２を付けた中央位置断面図
【図２７】専用吊り具３３の斜視図
【図２８】専用吊り具３３にバインダー留め具カレンダーの中央位置断面図
【図２９】実施例カレンダーハンガー１の正面図（紙製留め具カレンダー付）
【図３０】実施例カレンダーハンガー１の正面図（金属製留め具カレンダー付）
【図３１】実施例カレンダーハンガー１０１の正面図（バインダー留め具カレンダー付）
【図３２】実施例カレンダーハンガー１０１の側面図（加工部位隠し板部材は取外し中）
【図３３】実施例カレンダーハンガー１０１用の吊り下げ部材１１２の正面図
【図３４】実施例カレンダーハンガー１０１用の折り返し板部材１１３の側面図
【図３５】実施例カレンダーハンガー２０１の正面図（紙製留め具カレンダー付）
【図３６】実施例カレンダーハンガー２０１の側面図（加工部位隠し板部材は取外し中）
【図３７】実施例カレンダーハンガー２０１用の吊り下げ式板部材２１１の正面図
【図３８】実施例カレンダーハンガー２０１用の吊り下げ部材２１２の正面図
【図３９】実施例カレンダーハンガー２０１用の折り返し板部材２１３の側面図
【図４０】実施例カレンダーハンガー２０１用の加工部位隠し板部材２１４の側面図
【図４１】実施例カレンダーハンガー３０１の正面図（金属製留め具カレンダー付）
【図４２】実施例カレンダーハンガー３０１の側面図（加工部位隠し板部材は取外し中）
【図４３】実施例カレンダーハンガー３０１用の吊り下げ式板部材３１１の正面図
【図４４】実施例カレンダーハンガー３０１用の吊り下げ部材３１２の正面図
【図４５】実施例カレンダーハンガー３０１用の折り返し板部材３１３の側面図
【図４６】実施例カレンダーハンガー３０１用の加工部位隠し板部材３１４の側面図
【図４７】実施例カレンダーハンガー４０１の正面図（バインダー留め具カレンダー付）
【図４８】実施例カレンダーハンガー５０１の正面図（紙製留め具カレンダー付）
【符号の説明】
【００５３】
１      カレンダーハンガー
１０    壁掛け加工穴
１１    壁掛け板部材（紙面規制板部材を兼ねる）
１２    吊り下げ部材
１３    折り返し板部材
１４    加工部位隠し板部材
１５    折り返し空間
１６    吊り下げ空間
１７    固定木ネジ用加工穴
１８    固定木ネジ用加工穴
１９    折り返し板部材の差込加工部位（専用吊り具付カレンダーを差し込む）
２０    壁掛け板部材を固定する固定木ネジ
２１    専用吊り具を支持する為の支持板部材
２２    吊り下げ部材のセット加工部位
２３    吊り下げ部材の直線加工部位
２４    吊り下げ部材の曲線加工部位
２５    加工部位隠し板部材を取り付ける取付け木ネジ
２６    加工部位隠し板部材のスライド加工穴
２７    専用吊り具（紙製留め具カレンダーと専用吊り金具付金属製留め具カレンダー用）
２７ａ  差込丸ピン（専用吊り具２７の付属部品、以下専用吊り具２７に含む）
２８    カレンダーを留める中央丸穴
２９    専用吊り具の穴加工部位
３０    専用吊り金具（金属製留め具カレンダー用）
３０Ａ  専用吊り金具の正面図
３０Ｂ  専用吊り金具の背面図
３０Ｃ  専用吊り金具の側面図
３１    専用吊り金具の加工丸穴
３２    専用吊り金具の折り返した折返加工部位
３３    専用吊り具（バインダー留め具カレンダー用）
３４    専用吊り具のＶ字穴加工部位
４０    吊り下げ部材を固定する固定木ネジ
４１    紙製留め具カレンダー
４１ａ  紙製留め具カレンダーの表面
４１ｂ  紙製留め具カレンダーの裏面
４２    金属製留め具カレンダー
４２ａ  金属製留め具カレンダーの表面
４２ｂ    金属製留め具カレンダーの裏面
４３      バインダー留め具カレンダー
４３ａ    バインダー留め具カレンダーの表面
４３ｂ    バインダー留め具カレンダーの裏面
１０１    実施例カレンダーハンガー
１１０    壁掛け穴加工
１１１    壁掛け板部材（紙面規制板部材を兼ねる）
１１２    吊り下げ部材
１１３    折り返し板部材
１１４    加工部位隠し板部材
１１５    折り返し空間（隠れて見えない）
１１６    吊り下げ空間
１１７    固定木ネジ用加工穴
１１８    固定木ネジ用加工穴
１１９    差込加工部位（専用吊り具付カレンダーを差し込む）
１１９ａ  切込加工部位（吊り下げ部材の凸加工部位を嵌め込む）
１２０    壁掛け板部材を固定する固定木ネジ
１２１    吊り下げ部材の下部に取り付けた支持部材
１２２    吊り下げ部材のセット加工部位
１２３    吊り下げ部材の直線加工部位
１２４    吊り下げ部材の曲線加工部位
１２５    加工部位隠し板部材を取り付ける取付け木ネジ
１２６    加工部位隠し板部材のスライド加工穴
１３３    専用吊り具（隠れて見えない）
１３５    吊り下げ部材に加工した凸加工部位
１４０    吊り下げ部材を固定する固定木ネジ
２０１    実施例カレンダーハンガー
２１０    吊り下げ加工丸穴
２１１    吊り下げ式板部材
２１１ａ  紙面規制板部材
２１２    吊り下げ部材
２１３    折り返し板部材
２１４    加工部位隠し板部材
２１５    折り返し空間
２１６    吊り下げ空間
２１７    固定木ネジ用加工穴
２１８    固定木ネジ用加工穴
２１９    差込加工部位（専用吊り具付カレンダーを差し込む）
２１９ａ  切込加工部位（吊り下げ部材の凸加工部位を嵌め込む）
２２０    固定木ネジ
２２１    支持部材
２２２    吊り下げ部材のセット加工部位
２２３    吊り下げ部材の直線部位
２２４    吊り下げ部材の曲線部位
２２５    加工部位隠し板部材を取り付ける取付け木ネジ
２２６    加工部位隠し板部材のスライド加工穴
２２７    専用吊り具（隠れて見えない）
２３５    吊り下げ部材の凸加工した凸加工部位
２３６    吊り下げ式板部材に凸加工した凸加工部位
２３７    折り返し板部材の切込加工部位
２３８    折り返し板部材の切込加工部位（紙面規制板部材を嵌め込む）
２３９    吊り下げ式板部材の斜め加工部位
２４０    吊り下げ部材を固定する固定木ネジ
３０１    実施例カレンダーハンガー
３１０    吊り下げ加工丸穴
３１１    吊り下げ式板部材
３１２    吊り下げ部材
３１３    折り返し板部材
３１４    加工部位隠し板部材
３１５    折り返し空間
３１６    吊り下げ空間
３１７    固定木ネジ用加工穴
３１８    固定木ネジ用加工穴
３１９    差込加工部位（専用吊り具付カレンダーを差し込む）
３１９ａ  切込加工部位（吊り下げ部材の凸加工部位を嵌め込む）
３２０    吊り下げ式板部材を固定する固定木ネジ
３２１    専用吊り具を支持する支持部材
３２２    吊り下げ部材のセット加工部位
３２３    吊り下げ部材の直線部位
３２４    吊り下げ部材の曲線部位
３２５    加工部位隠し板部材を取り付ける取付け木ネジ
３２６    加工部位隠し板部材のスライド加工穴
３２７    専用吊り具（隠れて見えない）
３３５    吊り下げ部材の凸加工部位
３３６    吊り下げ式板部材の凸加工部位
３３７    折り返し板部材の切込加工部位
３３９    吊り下げ式板部材の斜め加工部位
３４０    吊り下げ部材を固定する固定木ネジ
４０１    実施例カレンダーハンガー
４１１    壁掛け紐
４１１ａ  紙面規制板部材
４１２    吊り下げ部材
４１３    折り返し板部材
４１３ａ  折り返し板部材の加工丸穴（吊り下げ紐を通す穴）
４１４    加工部位隠し板部材
４１５    折り返し空間
４３３    専用吊り具（隠れて見えない）
４３８    切込加工部位（紙面規制板部材を嵌め込む）
５０１    実施例カレンダーハンガー
５１０    壁掛け鎖リング
５１１    壁掛け板部材
５１１ａ  紙面規制板部材
５１２    吊り下げ部材
５１３    折り返し板部材
５１４    加工部位隠し板部材
５１５    折り返し空間
５２７    専用吊り具（隠れて見えない）
５３８    切込加工部位（紙面規制板部材を嵌め込む）
【図１】
2009107238.tif 000003
【図２】
2009107238.tif 000004
【図３】
2009107238.tif 000005
【図４】
2009107238.tif 000006
【図５】
2009107238.tif 000007
【図６】
2009107238.tif 000008
【図７】
2009107238.tif 000009
【図８】
2009107238.tif 000010
【図９】
2009107238.tif 000011
【図１０】
2009107238.tif 000012
【図１１】
2009107238.tif 000013
【図１２】
2009107238.tif 000014
【図１３】
2009107238.tif 000015
【図１４】
2009107238.tif 000016
【図１５】
2009107238.tif 000017
【図１６】
2009107238.tif 000018
【図１７】
2009107238.tif 000019
【図１８】
2009107238.tif 000020
【図１９】
2009107238.tif 000021
【図２０】
2009107238.tif 000022
【図２１】
2009107238.tif 000023
【図２２】
2009107238.tif 000024
【図２３】
2009107238.tif 000025
【図２４】
2009107238.tif 000026
【図２５】
2009107238.tif 000027
【図２６】
2009107238.tif 000028
【図２７】
2009107238.tif 000029
【図２８】
2009107238.tif 000030
【図２９】
2009107238.tif 000031
【図３０】
2009107238.tif 000032
【図３１】
2009107238.tif 000033
【図３２】
2009107238.tif 000034
【図３３】
2009107238.tif 000035
【図３４】
2009107238.tif 000036
【図３５】
2009107238.tif 000037
【図３６】
2009107238.tif 000038
【図３７】
2009107238.tif 000039
【図３８】
2009107238.tif 000040
【図３９】
2009107238.tif 000041
【図４０】
2009107238.tif 000042
【図４１】
2009107238.tif 000043
【図４２】
2009107238.tif 000044
【図４３】
2009107238.tif 000045
【図４４】
2009107238.tif 000046
【図４５】
2009107238.tif 000047
【図４６】
2009107238.tif 000048
【図４７】
2009107238.tif 000049
【図４８】
2009107238.tif 000050